(57)【要約】【課題】  使用場所を適切に判定可能な設置場所判定手段を提供し、各種調整機構の設定値を、使用場所ごとに応じた適切な調整値とすることを可能にした投射型表示装置。を提供すること。【解決手段】  設置調整設定情報を一つ以上記憶する設置調整設定情報記憶手段を有し、一つ以上のあらかじめ設定された場所に該当するかどうかを判定する設置場所判定手段を有し、前記設置場所判定手段の判定結果に応じて、前記設置情報記憶手段から読みだす設置調整設定情報を制御する表示装置において、設置場所判定手段は、複数の設置場所検出手段の中からあらかじめ操作手段により選択された一つ以上の設置場所検出手段について、それぞれの設置場所検出手段取得値とそれぞれ設定される設置場所判定値とを比較することで、設置場所の判定が行われることを特徴とする構成とした。【選択図】  図１
2013109181.tif 000002
【特許請求の範囲】
【請求項１】
設置調整設定情報を一つ以上記憶する設置調整設定情報記憶手段を有し、
一つ以上のあらかじめ設定された場所に該当するかどうかを判定する設置場所判定手段を有し、
前記設置場所判定手段の判定結果に応じて、前記設置情報記憶手段から読みだす設置調整設定情報を制御する表示装置において、
設置場所判定手段は、複数の設置場所検出手段の中からあらかじめ操作手段により選択された一つ以上の設置場所検出手段について、
それぞれの設置場所検出手段取得値と  それぞれ設定される設置場所判定値とを比較することで、設置場所の判定が行われることを特徴とする投射型表示装置。
【請求項２】
設置場所判定値は
操作手段により、設置場所判定検出手段の選択が行われたときの設置場所検出手段の検出値により決定することを特徴とする請求項1に記載の投射型表示装置。
【請求項３】
設置場所検出手段の中から操作手段により選択される設置場所検出手段は、
投射型表示装置の傾きを検出する傾き検出手段、
投射型表示装置に接続される接続信号の有無、もしくは接続信号特性を判定する入力信号特性判定手段、
投射領域との距離を測定する測距手段、
投射型表示装置の環境光の色・輝度のいずれか一つ以上を測定する投射環境測定手段、
投射型表示装置の投射領域の色・輝度のいずれか一つ以上を測定する投射面測定手段、
の一つ以上を含むことを特徴とする請求項１または請求項２に記載の投射型表示装置。
【請求項４】
設置調整設定情報は、
表示装置の設置方法に応じた入力映像と操作手段を制御する設置方法設定値、
投射映像の焦点距離を調整する焦点距離調節設定値、
投射映像の投影倍率を調整する投影倍率調整設定値、
投射映像の台形歪みを補正する台形歪み補正設定値、
投射領域の位置を調整する投射映像位置調整設定値、
投射型表示装置が想定していない投射領域での視聴映像を、想定している投射領域での視聴映像に近づける色・輝度のいずれか一つ以上の補正を行う投射領域補正設定値、
投射型表示装置が想定していない環境光での視聴映像を、想定している環境光での視聴映像に近づける色・輝度のいずれか一つ以上の補正を行う環境光補正設定値、
のいずれか一つ以上を含むことを特徴とする請求項１乃至請求項３の何れか１項に記載の投射型表示装置。
【請求項５】
設置場所判定手段による判定が、
設置調整設定情報記憶手段に記憶されていない場所と判定された場合 、
設置調整設定情報記憶手段に格納されていない設置調整設定情報とすることを特徴とする請求項１乃至請求項４の何れか１項に記載の投射型表示装置。
【請求項６】
設置場所判定手段による判定が、
設置調整設定情報記憶手段に記憶されていない場所と判定された場合 、
投射型表示装置の傾きを検出する傾き検出手段、
投射型表示装置に接続される接続信号の有無、もしくは接続信号特性を判定する入力信号特性判定手段、
投射領域との距離を測定する測距手段、
投射型表示装置の環境光の色・輝度のいずれか一つ以上を測定する投射環境測定手段、
投射型表示装置の投射領域の色・輝度のいずれか一つ以上を測定する投射面測定手段、
のいずれか一つ以上の測定値に応じて決定された設置調整設定情報とすることを特徴とする請求項１乃至請求項４の何れか１項に記載の投射型表示装置。
【発明の詳細な説明】
【技術分野】
【０００１】
本発明は、投射型映像表示装置（プロジェクタ）に関するものである。
【背景技術】
【０００２】
一般的なプロジェクタの使用方法として、あらかじめ設置作業が行われ常設されているプロジェクタを用いて投射を行う場合（以下固定設置用途）と、プロジェクタを必要な場所に持ち込み設置作業を行い投射を行う場合（以下可搬設置用途）の２つがある。
【０００３】
一般に明るくなるにつれて併せて筺体の大きさや重量が増加するため、大会議室で明るいプロジェクタが固定設置用途で用いられ、小会議室などでは小型・軽量なプロジェクタが可搬設置用途で用いられる。
【０００４】
プロジェクタには、ズーム調整、フォーカス調整、シフト調整、キーストン調整などのプロジェクタと投射面との位置関係に起因するゆがみに対して、投射映像を補正する調整機構を有する。
【０００５】
また、天吊り金具等を用いて上下反転して設置される場合、ＵＩを含む入力映像も視聴者に対して正対するように投射されるように設定する必要がある。
【０００６】
また、スクリーン色補正、環境光補正など、スクリーンや照明光などの視聴環境に起因した、理想環境下との違いに対して、投射映像を補正する調整機構を有し、入力信号は接続環境に応じて選択、設定される必要がある。
【０００７】
プロジェクタを設置する際には、これら調整機構等を適切に調整される必要がある。
【０００８】
この作業を自動化するために、測距センサーを用いたオートフォーカス、輝度センサー等のスクリーンセンサーを用いた自動スクリーン色補正等、入力検知による自動入力設定、等が実用化されているが、実際にはユーザーによる微調整を要することも多い。
【０００９】
固定設置用途では、一度設置作業が行われ、常設されているならば、設置作業時の調整値を保持することが望ましい。
【００１０】
半面、可搬設置用途では、使用される場所は毎回異なることが多く、この場合、投射が行われる場所が変わるたびに、フォーカス、ズーム、キーストン、シフト、スクリーン色、環境光などの使用場所に応じた設定が行われる。
【００１１】
そこで、設置作業が行われた場所での調整値を保持し、たとえ一度他の場所で用いられても、また設置作業が行われた場所で使用される場合、再度の調整作業を行うことなく調整値を設定することが望ましい。
【００１２】
一方で、近年の技術の進歩により、比較的、小型・軽量なプロジェクタでも固定設置用途でも使用に耐えうる明るさを確保できるようになってきている。
【００１３】
その結果、特定個所に設置作業が行われているプロジェクタを、必要に応じて別の場所に持ち出して使用し、その使用後は元の場所に戻して投射するような運用を考慮することが望ましい。
【００１４】
しかし、従来は、このような使用方法を考慮しておらず、一度設置作業が行われ調整された設定値としても、一度持ち出され設定値が操作されると、一度設置作業が行われた場所であっても再度の設置作業を行い調整を行う必要があった。
【００１５】
例えば、特許文献１では設置場所に応じた各種調整が可能な一般のプロジェクタにおいて、使用場所に依存する調整値を一括して記憶し、リモコン等からの操作により一括して再設定可能とすることで、固定設置用途での再設定を簡便にする方法が開示されている。
【先行技術文献】
【特許文献】
【００１６】
【特許文献１】特開２００３−２９５３２１号公報
【発明の概要】
【発明が解決しようとする課題】
【００１７】
しかしながら、上述の特許文献に開示された従来技術では、設置した場所であるかの判断と、実際のプロジェクタへの調整値の設定はユーザーの操作を必要とする。
【００１８】
そこで、本発明の目的は、使用場所を適切に判定可能な設置場所判定手段を提供し、各種調整機構の設定値を、使用場所ごとに応じた適切な調整値とすることを可能にした投射型表示装置を提供することである。
【課題を解決するための手段】
【００１９】
上記目的を達成するために、本発明は、
設置調整設定情報を一つ以上記憶する設置調整設定情報記憶手段を有し、
一つ以上のあらかじめ設定された場所に該当するかどうかを判定する設置場所判定手段を有し、
前記設置場所判定手段の判定結果に応じて、前記設置情報記憶手段から読みだす設置調整設定情報を制御する表示装置において、
設置場所判定手段は、複数の設置場所検出手段の中からあらかじめ操作手段により選択された一つ以上の設置場所検出手段について、
それぞれの設置場所検出手段取得値と  それぞれ設定される設置場所判定値とを比較することで、設置場所の判定が行われる
ことを特徴とする。
【発明の効果】
【００２０】
本発明によれば使用場所を適切に判定可能な設置場所判定手段を提供し、各種調整機構の設定値を、使用場所ごとに応じた適切な調整値とすることを可能にした投射型表示装置を提供することができる。
【図面の簡単な説明】
【００２１】
【図１】本発明の実施例１、２におけるプロジェクタの構成
【図２】本発明の実施例１、２における設置場所の例
【図３】本発明の実施例１における設置状態評価項目選択ＵＩの例
【図４】本発明の実施例１、２における設置完了時のフロー図
【図５】本発明の実施例１における設置状態記憶量機の例
【図６】本発明の実施例１におけるプロジェクタ起動時のフロー図
【図７】本発明の実施例１における設置場所の例
【図８】本発明の実施例１における設置場所の例
【図９】本発明の実施例１における設置場所の例
【図１０】本発明の実施例１における設置場所の例
【図１１】本発明の実施例２における設置状態評価項目選択ＵＩの例
【図１２】本発明の実施例２における設置状態記憶量機の例
【図１３】本発明の実施例２における設置場所の例
【図１４】本発明の実施例２におけるプロジェクタ起動時のフロー図
【発明を実施するための形態】
【００２２】
以下に、本発明の好ましい実施の形態を、添付の図面に基づいて詳細に説明する。図１は、本発明の実施形態にかかわる投射型表示装置である。
【００２３】
［実施例１］
以下、図１を参照して、本発明の第1の実施例による、投射型表示装置について説明する。
【００２４】
入力端子101や入力端子102に入力された入力信号は、入力回路103で、信号種別の判別が行われ、アナログ映像信号であれば、Ａ／Ｄ変換が行われた上で後段の処理が行われる。
【００２５】
ここで、映像入力信号回路103は、信号種別の判別の情報のほか、信号有無の情報を含む入力信号情報をコントローラによる取得を可能とする。
【００２６】
起動時やＵＩの指示により、この入力信号情報を用いた、自動的な入力信号選択等の制御を行ってもよい。
【００２７】
映像処理回路103では、入力信号の解像度を表示パネル106に合わせるように解像度変換やその他映像処理が行われる。
【００２８】
映像処理回路103の出力は、表示回路106で、各色ごとの信号に分離され、入力階調に対して出力輝度特性が目的の特性となるように、表示パネル106が駆動される。
【００２９】
ランプ107から表示パネル108への入射光は、表示回路106により入力信号に対応した反射率（透過型プロジェクタの場合、透過率）となるように駆動され、レンズ109を通じてスクリーン7に投射される。
【００３０】
プロジェクタ1とスクリーン2との距離に応じて変動する合焦距離は、コントローラ105により、フォーカス設定値に応じた位置になるようにフォーカス調整機構112が投射レンズ群109を駆動することで制御される。
【００３１】
測距センサー110を搭載することで、プロジェクタ1とスクリーン2との距離を測定し、その測定値により、適切な合焦距離となるようなフォーカス設定値でフォーカス調整機構112を制御するＡＦ制御が可能となる。
【００３２】
同様に、投射レンズ群109がズーム設定値に応じた位置となるよう、ズーム調整機構114が制御される。
【００３３】
さらに、投射レンズ群109がレンズシフト設定値に応じた位置となるよう、レンズシフト調整機構116が制御される。
【００３４】
ここで、映像処理回路104により黒表示領域と映像表示領域を制御することによって、投射領域内における映像領域を調整する方法でも同様の効果が得られる。
【００３５】
映像処理回路104は、環境光の設定値に応じて、環境光のない状態と同じように見えるように処理を行う。
【００３６】
ここで、環境光がどのような光源であるかを明確にする値を環境光の設定値とし、映像処理回路104はその値を読み出して、環境光のない状態と同ように見えるように処理映像処理を行う。
【００３７】
あるいは、環境光のない状態と同じに映像となる、または見えるようになる映像処理に関する値を環境光の設定値とし、映像処理回路104はその値に応じて処理を行っても同様である。
【００３８】
環境光センサー115を搭載することで、によりプロジェクタ1周辺の環境光の明るさ、色などを測定し、その測定値により、適切な環境光補正となるような環境光設定値で映像処理回路104を制御することで、環境光補正の自動化が可能となる。
【００３９】
同様にして、キーストン、スクリーン色などの設定値に応じて、スクリーンの投射映像の台形ひずみ、スクリーン色の影響を補正するように映像処理回路103、表示回路106が駆動される。
【００４０】
傾きセンサーや116やスクリーンセンサー111を搭載することで、プロジェクタ本体の傾きやスクリーン色を測定し、台形ゆがみ、スクリーン色の影響を補正するように映像処理回路104、表示回路106を駆動することで、キーストン補正、スクリーン色補正の自動化が可能となる。
【００４１】
理想的には、以上のようなセンサーなどの各種検出手段に自動的な設定が望ましい。
【００４２】
しかし、実際には環境依存度が高いなどを理由に、ＵＩによる微調整を要し、簡便とは言い難い。
【００４３】
プロジェクタ1を、図２のような場所で投射を行う場合の設定手順を以下に示す。
【００４４】
ユーザーは、まず従来通り、ＵＩを操作することにより、入力信号を接続し、フォーカス、ズーム、キーストン補正、画像シフト、スクリーン色補正、環境光補正等を調整する。
【００４５】
そして、ＵＩにより、設置状態評価項目の選択と、評価項目に対応して取得した設置状態値を不揮発メモリ等の設置状態記憶領域119に記憶する。
【００４６】
これは、図３のような専用のＵＩを操作することにより実行されるが、このＵＩによるフローを図４に示す。
【００４７】
ユーザーはこの設置状態で変わらないと考えられる項目を選択する（S102）。
【００４８】
たとえば、入力端子に接続される信号が、その設置場所に常設された機器であり、必ずその機器を使用して投射が行われることが想定される場合は、入力信号を選択する。
【００４９】
さらに、プロジェクタ1本体とスクリーン2の設置場所が固定され、投射距離が変わりづらいと判断されれば、これを選択する。
【００５０】
そのスクリーン2も固定され、その場所での投影の際には必ず同一のスクリーンに投影されると判定されれば、スクリーン色を選択する。
【００５１】
このＵＩで完了が選択された際、プロジェクタ1の図２の場所での設置作業が完了したとし、コントローラからの指示により、選択された設置状態評価項目と、それぞれに対応する測定値を取得する(S103)。
【００５２】
そして、その測定値を設置状態値として設置状態記憶領域119に記憶する(S104)。
【００５３】
つまり、そのときの投射距離、入力信号、スクリーン色にそれぞれ対応する設置状態値として、測距センサー値、入力信号情報、スクリーンセンサー値を測定、記憶する。
【００５４】
そして、それら設置状態値が得られる場所に対応する設置調整値として、現在の調整値を取得し、記憶する。
【００５５】
つまり、入力信号設定、メニュー向き、フォーカス、ズーム、キーストン、スクリーン色、環境光補正、シフトの調整値を調整値として記憶する。
【００５６】
具体的には、図５のように、測距センサー1、入力信号状態1、スクリーンセンサー値1が取得される場所の調整値として、入力信号101、天吊り、フォーカス設定値1、ズーム値1、キーストン補正値1、スクリーンセンサー値1、環境光補正値1、シフト値1を記憶する。
【００５７】
このようにして、設置作業が完了したプロジェクタ1を、再び図２の場所で用いる場合のフローを図６に示す。
【００５８】
まず、設置状態記憶領域119より、設置状態評価項目を読み出し、評価項目とそれに対応する設置状態値を読みだす。
【００５９】
設置状態記憶領域119にこれらの値が格納されていない場合、一度の設置作業もおこなわれていない場所での起動と認識して、可搬設置用の調整値で制御される。
【００６０】
プロジェクタ１では設置状態記憶領域119にこれらの値が格納されており、設置状態評価項目として、入力信号情報と測距センサー値とスクリーンセンサー値が選ばれていると判定することができる。
【００６１】
設置状態評価項目に対応する現在値として測距センサー値と入力信号情報とスクリーンセンサー値の測定値を取得する(S203)。
【００６２】
同時に、設置状態記憶領域119より各評価項目に対応する設置状態値を取得し、測距センサー値1と入力信号情報1とスクリーンセンサー値1を得る。
【００６３】
次に、各評価項目ごとに現在地と設置状態値を比較して、すべての評価項目が一致するか判定を行う(S206)。
【００６４】
図２の場所であれば、各評価項目の設置状態値と現在値は一致することになり、設置が行われた場所であると判定することができる。
【００６５】
設置が行われた場所であると判定が行われた場合、設置状態記憶領域119より固定設置の調整値を取得し、設定する（S207）。
【００６６】
つまり、入力信号設定、メニュー向き、フォーカス、ズーム、キーストン、スクリーン色、環境光補正、シフトの設定を行う。
【００６７】
設置が行われた場所でない場合は、可搬設置用の調整値となるように制御を行う(S207)。
このプロジェクタ1を図７の別の場所に持ち出し、投射を行う場合を示す。
【００６８】
図７の場所では、投射距離は図２の場所と同様であるが、接続端子や接続機器の違いにより入力信号情報が図２の場所と異なる。
【００６９】
図４のフローにより制御を行うことで、設置状態記憶領域119より、設置状態判定項目を読みだすことで、入力信号情報と投射距離が選ばれていると判定することができる。
【００７０】
選択評価項目である測距センサー110と入力信号情報の現在の値を取得する。
【００７１】
設置状態値得られる値は測距センサー値1と入力信号情報1を取得可能であり、測距センサー値1と入力信号情報2を取得可能である。
【００７２】
これは、測距センサーの値は一致するが、入力信号情報は一致しない。
【００７３】
そのため可搬設置状態であると判定し、可搬設置の調整値となるように制御を行う(S208)。
【００７４】
可搬設置用の調整値とは、一般の可搬用途のプロジェクタと同様、代表的な一意の値であっても、前回の可搬設置時の調整値であってもよい。
【００７５】
また、測距センサーにより自動的に決定される調整値であってもよい。
【００７６】
さらに、図９のようにスクリーンセンサーの測定値がスクリーンセンサー値2となる場所では、可搬設置ＵＩで制御される。
【００７７】
図２の場所が、多種の照明があるなどして、使用毎に図１０のように照明環境が変わる可能性があるとする。
【００７８】
その場合、図３の設置状態評価項目選択時に、ユーザーは周辺の設備から環境光が変わりうることを想定可能である。
【００７９】
その際に、ユーザーは変わる可能性の高い項目を評価項目として選択しないことで、図１０のように、同一の場所において、環境光が変化しても適切に固定設置の調整値で制御される。
【００８０】
以上のように、設置作業完了時に、その場所で変わらないと想定される評価項目と変わる可能性がある項目をユーザーにより選択可能とすることで、設置作業を行った場所における調整値の再設定を簡便化することが可能となる。
【００８１】
［実施例２］
以下、実施例１と同様の図１を参照して、本発明の第２の実施例による、投射型表示装置について説明する。
【００８２】
プロジェクタ1を、図２のような場所で投射を行う場合の設定手順を以下に示す。
【００８３】
ユーザーは、まず従来通り、ＵＩを操作することにより、入力信号を接続し、フォーカス、ズーム、キーストン補正、画像シフト、スクリーン色補正、環境光補正等を調整する。
【００８４】
そして、ＵＩにより、設置状態評価項目の選択と、評価項目に対応して取得した設置状態値を不揮発メモリ等の設置状態記憶領域119に記憶する。
【００８５】
これは、図１１のような専用ＵＩを操作することにより実行されるが、このＵＩによるフローを図４に示す。
【００８６】
設置場所を複数登録可能として、図１２のＵＩによる設置場所番号を設定可能とする。
【００８７】
ユーザーはこの設置状態で変わらないと考えられる項目を選択する（S102）。
【００８８】
たとえば、入力端子に接続される信号が、その設置場所に常設された機器であり、必ずその機器を使用して投射が行われることが想定される場合は、入力信号を選択する。
【００８９】
さらに、プロジェクタ1本体とスクリーン2の設置場所が固定され、投射距離が変わりづらいと判断されれば、これを選択する。
【００９０】
そのスクリーン2も固定され、その場所での投影の際には必ず同一のスクリーンに投影されると判定されれば、スクリーン色を選択する。
【００９１】
このＵＩで完了が選択された際、プロジェクタ1の図２の場所での設置作業が完了したとし、コントローラからの指示により、選択された設置状態評価項目と、それぞれに対応する測定値を取得する(S103)。
【００９２】
そして、その測定値を設置状態値として、設置状態記憶領域119の選択された設置場所番号の領域に記憶する(S104)。
【００９３】
つまり、そのときの投射距離、入力信号、スクリーン色にそれぞれ対応する設置状態値として、測距センサー値、入力信号情報、スクリーンセンサー値を取得する。
【００９４】
そして、それら設置状態値が得られる場所に対応する設置調整値として、現在の調整値を取得し、記憶する。
【００９５】
具体的には、図１２のように、測距センサー1、入力信号状態1、スクリーンセンサー値1が取得される場所の調整値として、入力信号101、天吊り、フォーカス設定値1、ズーム値1、キーストン補正値1、スクリーンセンサー値1、環境光補正値1、シフト値1を記憶する。
【００９６】
もうひとつの設置場所として、図１３の場所に設置がなされるとする。
【００９７】
ここでは、天吊り金具などにより本体向きが固定され、かつスクリーン色、投射距離、環境光が固定され、入力信号などは変わりうる推定し、同様に図４の制御が行われ、図１２のように設置情報記憶領域119に設置場所２の設置状態値が格納される。
【００９８】
このようにして、設置作業が完了したプロジェクタ1を、再び図２の場所で用いる場合のフローを図１４に示す。
【００９９】
まず、設置状態記憶領域119より、１つの登録場所の設置状態評価項目を読み出し、評価項目とそれに対応する設置状態値を読みだす。
【０１００】
設置状態記憶領域119にこれらの値が格納されていない場合、一度の設置作業もおこなわれていない場所での起動と認識して、可搬設置用の調整値で制御される。
【０１０１】
プロジェクタ１では設置状態記憶領域119にこれらの値が格納されており、登録場所1の設置状態評価項目として、入力信号情報と測距センサー値とスクリーンセンサー値が選ばれていると判定することができる。
【０１０２】
設置状態評価項目に対応する現在値として測距センサー値と入力信号情報とスクリーンセンサー値の測定値を取得する(S203)。
【０１０３】
同時に、設置状態記憶領域に各評価項目に対応する設置状態値を取得し、測距センサー値1と入力信号情報1とスクリーンセンサー値1を得る。
【０１０４】
次に、各評価項目ごとに測定値と設置状態値を比較して、すべての評価項目が一致するか判定を行う(S206)。
【０１０５】
図２の場所であれば、各評価項目の設置状態値と現在の値は一致することになり、設置が行われた場所であると判定することができる。
【０１０６】
設置が行われた場所であると判定が行われた場合、設置状態記憶領域119より対応した設置場所の設置調整値を取得し、設定する（S207）。
【０１０７】
これらの値のうちどれか一つ以上の値が一致しない場合、可搬設置用の調整値で制御される。
【０１０８】
また、同様にして、このプロジェクタを一度設置作業が行われた図１４の場所に持ち込まれた場合、図１４のフローにおいて、設置状態記憶領域119の設置場所２の設置状態値と一致し、設置場所２の設置調整値が設定されることになる（S207）。
【０１０９】
以上のように、設置作業完了時に、その場所で変わらないと想定される評価項目と変わる可能性がある項目をユーザーにより選択可能とすることで、設置作業を行った場所における調整値の再設定を簡便化することが可能となる。
【０１１０】
以上、本発明の好ましい実施形態について説明したが、本発明はこれらの実施形態に限定されず、その要旨の範囲内で種々の変形及び変更が可能である。
【符号の説明】
【０１１１】
１０１  入力端子
１０２  入力端子
１０３  入力回路
【図１】
2013109181.tif 000003
【図２】
2013109181.tif 000004
【図３】
2013109181.tif 000005
【図４】
2013109181.tif 000006
【図５】
2013109181.tif 000007
【図６】
2013109181.tif 000008
【図７】
2013109181.tif 000009
【図８】
2013109181.tif 000010
【図９】
2013109181.tif 000011
【図１０】
2013109181.tif 000012
【図１１】
2013109181.tif 000013
【図１２】
2013109181.tif 000014
【図１３】
2013109181.tif 000015
【図１４】
2013109181.tif 000016